(57)【要約】【課題】  個人の持物が許可なく移動させられたときに、振動を感知して警報を発する移動感知装置を提供する。【解決手段】  移動感知装置１は、犬形状の置物であって、本体部１０、頭部２０、口部３０、鼻部５０等を有する。本体部１０内には加速度センサと制御装置、警報装置と、そのセットスイッチを有する。犬の口部に挿入された骨形状のキー４０は、これを外すとセットスイッチがオンとなり、鼻部に取り付けたＬＥＤが点灯する。この状態で置物が移動させられると、加速度センサが振動を感知して、スピーカーから犬の音声を出力して、警告を発し、ＬＥＤを点滅させる。【選択図】      図１
2005196442.tif 000002
【特許請求の範囲】
【請求項１】
置物の本体に装備される加速度センサと、警報装置と、制御装置と、電源と、セットスイッチと、セットスイッチをオン、オフするキーとを備え、置物の移動を加速度センサが感知すると、警報装置を駆動する移動感知装置。
【請求項２】
置物はキャラクターグッズである請求項１記載の移動感知装置。
【請求項３】
警報装置は、スピーカーと発光ダイオードである請求項１記載の移動感知装置。
【請求項４】
置物は、犬形状を有し、セットスイッチをオン、オフするキーは、犬の口部に挿入される骨形状の部材である請求項１記載の移動感知装置。
【発明の詳細な説明】
【技術分野】
【０００１】
本発明は、自己の持物が許可無く移動させられたときに、警告を発する移動感知装置に関する。
【背景技術】
【０００２】
例えば、自己の持物のうちで、ノートや日記帳のように、みだりに他人によって触れて欲しくない持物がある。
このような持物は、たとえ、家人のような親しい人によっても許可無く動かして欲しくはないが、さりとて、動かしたことを強く抗議することも、人間関係を損なうこととなり、はばかられる。
【０００３】
従来より電子ペットを利用した、防犯装置が知られている。（特許文献１）
【特許文献１】特開２００１−９３０６２号公報
【発明の開示】
【発明が解決しようとする課題】
【０００４】
上記防犯装置は、カメラやパソコン等を使用した大掛かりなものであって、前述したようなノートや日記帳等の個人の持物が家人のような親しい人によって許可なく移動させられた時にソフトに抗議する装置に使用することはできない。
本発明は、内部に加速度センサを有する制御装置を備えた置物であって、この置物を載せた物品が移動されたことを感知して、警告を発して人間関係を損なうことなく、ソフトな抗議を行う簡単な構成の装置を提供するものである。
【課題を解決するための手段】
【０００５】
本発明の移動感知装置は、置物の本体に装備される加速度センサと、警報装置と、制御装置と、電源と、セットスイッチと、セットスイッチをオン、オフするキーとを備える。そして、置物の移動を加速度センサが感知すると、警報装置を駆動するものである。
また、置物はキャラクターグッズであり、警報装置は、スピーカーと発光ダイオードである。
さらに、置物は、犬形状を有し、セットスイッチをオン、オフするキーは、犬の口部に挿入される骨形状等の部材である。
【発明の効果】
【０００６】
本発明の移動感知装置は、犬の置物のようなキャラクターグッズ内に加速度センサとスピーカー、発光ダイオード等を組込んだ簡単な構成であり、その置物を載せた物品を動かしたときに、その振動を感知して犬の鳴声を発したり、発光ダイオードを点滅させて、警告を発するものである。
これにより、例えば善意でその物品を移動させたときも、所有者は移動を喜んでいないとの意志が伝達され、人間関係を損なうことなく所有者のメッセージを伝達することができる。
置物の形状は、ぬいぐるみのペットや、キャラクターグッズ等、適当な物体を選択することができる。
【発明を実施するための最良の形態】
【０００７】
図１は、本発明の移動感知装置の外観を示す説明図、図２は作用を示す説明図である。
全体を符号１で示す移動感知装置は、例えば、犬の外観を有する置物であって、ぬいぐるみのキャラクターグッズである。
犬形状の置物は、本体部１０、頭部２０、口部３０、鼻部５０、脚部７０等を有し、鼻部５０は、発光ダイオード（ＬＥＤ）を備えている。
【０００８】
本体部１０の前面には、時計６０がとりつけてあり、時計６０は目ざまし時計を装備することができる。本体部１０の内部には電池や処理装置が収容される。
口部３０には、キー４０が挿入される。このキー４０の形状は、例えば動物の骨の形状を有し、キャラクターグッズである犬に合わせた形状とする。
【０００９】
図２に示すように、このキー４０を口部３０から取り外すと、セットスイッチがオンとなり、発光ダイオードを内蔵した鼻部５０が点灯する。使用者は、この点灯を見て、移動検知装置が稼動状態となったことを確認する。
キー４０を口部３０に挿入することにより、セットスイッチがオフとなり、発光ダイオードは消灯する。この状態では、移動感知装置１に振動を与えても、何らの反応はない。
【００１０】
図３は、本発明の移動感知装置の構成を示す回路図である。
全体を符号１００で示す制御装置は、処理装置（ＣＰＵ）１１０を有し、電池１２０により駆動される。ＣＰＵは、例えば、４ビットのマイコンであり、パワースイッチ１３０により、電池１２０からの通電がオン、オフされる。
ＣＰＵ１１０には、加速度センサ１５０が接続される。この加速度センサ１５０は、例えば半導体を利用して構成され、振動を受けると、電気信号を発信する。
【００１１】
パワースイッチ１３０がオンとなっている状態で、キー４０が抜かれると、セットスイッチ１６０がオンとなり、発光ダイオード（ＬＥＤ）１８０に通電され、点灯する。この発光ダイオード１８０は、例えば赤色のＬＥＤが使用される。
ＣＰＵ１１０には、アンプ１７０を介してスピーカー１７２が接続される。このスピーカー１７２は、例えば、犬形の置物の頭部２０内に装備される。
【００１２】
本発明の移動感知装置１は、パワースイッチ１３０がオンで、セットスイッチ１６０がオンとなると、ＬＥＤ１８０が点灯する。この状態で装置に振動が与えられると、この振動を加速度センサ１５０が感知して、ＣＰＵ１１０に信号を送る。ＣＰＵ１１０は警報装置であるスピーカー１７２を起動して、ＣＰＵ１１０内に予め記憶されている音声メッセージを発信する。
移動感知装置が犬のキャラクターグッズの場合には、音声メッセージでは例えば、犬の鳴声が使われる。又、加速度センサ１５０の感知レベルによってＣＰＵ１１０に予め記憶されている複数の種類の音声メッセージを切り換える事もできる。
【００１３】
図４は、本発明の移動感知装置の処理を示すフロー図である。
ステップＳ１０でスタートした処理は、ステップ１１でセットスイッチのオン、オフをチェックする。セットスイッチがオフであれば、ＬＥＤを消灯してステップＳ１７のリターンへ進む。
【００１４】
ステップＳ１１でセットスイッチがオンであれば、ステップＳ１２へ進み、セットスイッチがオンされるのが最初のオンとなる１回目かをチェックする。１回目であればステップＳ１３でセット時間を決める。これは、例えば、キーを外す操作のときに、振動が与えられてしまうので、この振動を受けても警告処理を始動させないための処理である。
このセット時間は、例えば１０秒間とし、１０秒後からは、振動を感知すると、音声メッセージ等が出力される。
【００１５】
２回目以降のセットスイッチのオンの場合には、既にセット時間が決められているので、このステップは飛ばされて、ステップＳ１４へ進む。
ステップＳ１４では、加速度センサからの信号の出力をチェックする。加速度センサからの出力がなければ、ステップＳ１７へ進む。
【００１６】
移動感知装置に振動が与えられると、その振動を加速度センサが感知して、電気信号を出力する。
この信号を受信すると、ＣＰＵはステップＳ１５でＬＥＤを点滅させるとともに、ステップＳ１６で犬の鳴き声をスピーカーから出力させる。
この鳴き声の出力は、例えば、１５秒続き、鳴き声の出力は停止する。しかし、ＬＥＤの点滅は継続し、使用者は後程この移動感知装置そのもの、または、移動感知装置を置いた物が他人によって動かされたことを知ることができる。
ステップＳ１６の処理が終わると、ステップＳ１７へ進み初期状態に復帰する。
【図面の簡単な説明】
【００１７】
【図１】本発明の移動感知装置の外観を示す説明図
【図２】本発明の移動感知装置の作用を示す説明図
【図３】本発明の移動感知装置の制御装置の回路図
【図４】本発明の移動感知装置の制御処理を示すフロー図
【符号の説明】
【００１８】
１  移動感知装置
１０  置物本体部
２０  頭部
３０  口部
４０  キー
５０  鼻部
６０  時計
７０  脚部
１００  制御装置
１１０  ＣＰＵ
１２０  電池
１３０  パワースイッチ
１５０  加速度センサ
１６０  セットスイッチ
１７０  アンプ
１７２  スピーカー
１８０  発光ダイオード
【図１】
2005196442.tif 000003
【図２】
2005196442.tif 000004
【図３】
2005196442.tif 000005
【図４】
2005196442.tif 000006